(57)【要約】【課題】  前処理製造ラインで生産される仕掛品を保管する倉庫の保管管理を、後処理工程製造ラインで生産するのに適した該仕掛品の保管状況とするための保管管理システムを提供することを目的とする。【解決手段】  後処理製造ラインが前処理製造ラインに生産要求するオーダー情報と、前処理製造ライン生産計画情報と後処理製造ライン生産計画情報と、仕掛品保管情報と、仕掛品配置指図データとで構成される管理用データベース手段と、配置シミュレーションシステムと仕掛品配置指図書作成システムとを有する仕掛品管理サーバ手段と、前処理製造ラインあるいは／および後処理製造ラインの生産管理を行う生産管理システム手段とを有し、管理用データベース手段と仕掛品管理サーバ手段と生産管理システム手段とが通信回線で結ばれているシステム。【選択図】  図２
2007172353.tif 000002
【特許請求の範囲】
【請求項１】
製造ラインが前処理製造ラインと後処理製造ラインで構成され、前処理製造ラインで生産される仕掛品が後処理製造ラインに引き渡されるまでに倉庫に保管され、該倉庫の仕掛品保管システムにおいて、後処理製造ラインが前処理製造ラインに生産要求するオーダー情報と、前処理製造ライン生産計画情報と後処理製造ライン生産計画情報と、仕掛品保管情報と、仕掛品配置指図データとで構成される管理用データベース手段と、配置シミュレーションシステムと仕掛品配置指図書作成システムとを有する仕掛品管理サーバ手段と、前処理製造ラインあるいは／および後処理製造ラインの生産管理を行う生産管理システム手段とを有し、管理用データベース手段と仕掛品管理サーバ手段と生産管理システム手段とが通信回線で結ばれていることを特徴とする仕掛品保管システム。
【請求項２】
後処理製造ラインが前処理製造ラインに生産要求するオーダー情報と、前処理製造ライン生産計画情報と後処理製造ライン生産計画情報と、仕掛品保管情報とを用いて、仕掛品配置を仕掛品の入庫あるいは／および仕掛品の出庫に合わせて変更することを特徴とする仕掛品保管システム。
【発明の詳細な説明】
【技術分野】
【０００１】
多品種の物品を生産する製造ラインにおいて、仕掛品を倉庫に一時保管する倉庫の保管システムに関する。
【背景技術】
【０００２】
自動車の窓やＦＰＤの背面ガラスなどに使用されるガラスは、製品ごとに、ガラス製品の厚み、寸法が異なる他に、製品寸法に裁断処理したガラスを、曲げ加工処理したり、強化処理したり、様々な加工処理が行われる。
【０００３】
通常、裁断処理されたガラスを前処理品、裁断処理までの加工を前処理工程と呼び、強化処理や曲げ処理などは、後処理工程と呼ばれている。
【０００４】
前処理工程は、製品寸法に裁断するだけなので、後処理の製造ラインに比較して少ない製造ラインで多くの製品に対応することが可能であるが、後処理工程は、プレス曲げ処理、自重曲げ処理、自重曲げとプレス曲げとを組み合わせた曲げ処理など、複数の曲げ処理を行う製造ラインが必要であり、また、曲げ処理と同時に風冷強化や化学強化などの複数の強化処理を行う製造ラインがあり、製品毎に多くの異なる生造ラインが存在する。
【０００５】
そのため、生産効率を上げるために、前工程と後工程とは、別々の生産ラインで構成され、生産計画に合わせて計画される、前処理製造ラインの効率的な生産計画と後処理製造ラインの効率的な生産計画とは、同一品種を前処理製造ラインから後処理製造ラインへと連続的に移送するとは限らず、前処理製造ラインで製造された前処理品を一時的に倉庫に保管する必要が生じる。
【０００６】
このような前処理品は、後工程に供されるまでに倉庫に一時保管されるが、前工程の生産に基づいて倉庫に保管されたり、保管中の前処理品を倉庫内の他の空場所に移動するなどして前処理品の保管場所が一定せず、前処理品の保管は、必ずしも、後工程の生産に適切な保管状況となっていなかった。
【０００７】
このような、在庫に関して、特許文献１に適切な在庫量の管理システムが開示されているが、倉庫内の在庫量を適切に行うものであって、保管されている前処理品を後処理製造ラインに適切に引き渡すことが可能な保管状況にすることは困難であった。
【特許文献１】特開２００２−３４２４３１号公報
【発明の開示】
【発明が解決しようとする課題】
【０００８】
製造ラインが一つ以上の前処理製造ラインと一つ以上の後処理製造ラインとでなる製造ラインでは、生産効率を最適化するため、前処理製造ラインで生産される仕掛品が引き続き後処理製造ラインに引き渡されることがなく、一時的に倉庫に保管される場合が多い。このように一時的に倉庫に保管されている仕掛品は、後処理製造ラインでの生産計画に最適化されていないため、後処理製造ラインに渡すために、仕掛品を倉庫から取り出すのに手間取っていた。
【０００９】
本発明は、前処理製造ラインで生産される仕掛品を保管する倉庫の保管管理を、後処理工程製造ラインで生産するのに適した該仕掛品の保管状況とするための保管管理システムを提供することを目的とする。
【課題を解決するための手段】
【００１０】
本発明の仕掛品保管システムは、製造ラインが前処理製造ラインと後処理製造ラインで構成され、前処理製造ラインで生産される仕掛品が後処理製造ラインに引き渡されるまでに倉庫に保管され、該倉庫の仕掛品保管システムにおいて、後処理製造ラインが前処理製造ラインに生産要求するオーダー情報と、前処理製造ライン生産計画情報と後処理製造ライン生産計画情報と、仕掛品保管情報と、仕掛品配置指図データとで構成される管理用データベース手段と、配置シミュレーションシステムと仕掛品配置指図書作成システムとを有する仕掛品管理サーバ手段と、前処理製造ラインあるいは／および後処理製造ラインの生産管理を行う生産管理システム手段とを有し、管理用データベース手段と仕掛品管理サーバ手段と生産管理システム手段とが通信回線で結ばれていることを特徴とする仕掛品保管システムである。
【００１１】
また、本発明の仕掛品保管システムは、前記仕掛品保管システムにおいて、後処理製造ラインが前処理製造ラインに生産要求するオーダー情報と、前処理製造ライン生産計画情報と後処理製造ライン生産計画情報と、仕掛品保管情報とを用いて、仕掛品配置を仕掛品の入庫あるいは／および仕掛品の出庫に合わせて変更することを特徴とする仕掛品保管システムである。
【発明の効果】
【００１２】
以上の説明から明らかなように、本発明の仕掛品保管システムは、多品種の物品を生産する製造ラインが、前処理工程を行う前処理製造ラインと後処理工程を行う後処理製造ラインからなり、前処理製造ラインで製造される仕掛品を倉庫に一時保管する製造ラインで、倉庫に一時保管される仕掛品の保管管理システムに関し、特に加工ガラスの製造ラインにおいて、素板ガラスの前処理工程で製造される仕掛品を、倉庫に一時保管する倉庫の保管システムに有効である。
【発明を実施するための最良の形態】
【００１３】
以下、本発明の実施の形態について、図１から図４を用いて説明する。図１はは、本発明の保管管理システムを実施する対象となる仕掛品保管倉庫２の位置を、概念的に示す図である。仕掛品保管倉庫２は、前処理製造ライン１で生産される仕掛品が後処理製造ライン３で加工処理されるまで、仕掛品を一時的に保管する。前処理製造ライン１および後処理製造ライン３は、ともに１以上の製造ラインからなり、仕掛品保管倉庫２も１つ以上の倉庫で構成される。
【００１４】
図２に示されるシステムは、仕掛品保管管理サーバ５、管理用データベース４、生産管理システム６を含むシステムである。仕掛品保管管理サーバ５、管理用データベース４、生産管理システム６は通信回線で接続され、管理用データベース４は、仕掛品保管管理サーバ５からアクセス可能に接続されている。
【００１５】
仕掛品保管管理サーバ５、管理用データベース４、生産管理システム６には、表示装置、キーボード、マウスで構成されるパソコン（Personal Computer;PC）を用いることが好ましい。
【００１６】
仕掛品保管管理サーバ５は、本発明の仕掛品保管システムを実施するものであり、仕掛品の配置をシミュレーションする配置シミュレーションシステム７、配置シミュレーション７を実施して得られる仕掛品配置図に基づいて仕掛品を配置するための仕掛品配置指図書作成システム８を実施するものであり、配置シミュレーションシステム７および仕掛品配置指図書作成システム８の動作は後述する。
【００１７】
管理用データベース４は、後処理製造ラインが前処理製造ラインに注文している仕掛品の品種や数量などからなるオーダー情報、前処理製造ラインの前処理ライン生産計画情報、後処理製造ラインの後処理ライン生産計画情報、前処理製造ラインで実施された仕掛品の仕掛品生産情報、後処理製造ラインで実施した生産実績情報、仕掛品保管倉庫で保管されている仕掛品の種類、数量、配置等に関する仕掛品保管情報、本発明の仕掛品管理システムによって作成される仕掛品配置指図データを含んで構成される。
【００１８】
生産管理システム６は、後処理製造ラインが前処理製造ラインに注文している仕掛品の品種や数量などからなるオーダー情報、前処理製造ラインの前処理ライン生産計画情報、後処理製造ラインの後処理ライン生産計画情報、前処理製造ラインで実施された仕掛品の仕掛品生産情報、後処理製造ラインで実施した生産実績情報などを管理するものである。
【００１９】
図２では、管理用データベース４は、仕掛品保管管理サーバ５あるいは生産管理システム６と別に構成されているが、仕掛品保管管理サーバ５内あるいは生産管理システム６内に、前記した情報やデータの一部又は全部を設けてもよい。また、仕掛品保管管理サーバ５あるいは生産管理システム６の外部に設ける場合も、一体に構成しても分散配置してもよい。
【００２０】
生産管理システム６は、図１に示す、前処理製造ライン１と後処理製造ライン３の生産管理システムであり、前処理製造ライン１、後処理製造ライン３それぞれの生産計画や生産実績を含む、生産に関する管理システムである。
【００２１】
生産管理システム６から管理用データベース４に、後処理製造ラインが前処理製造ラインに注文している仕掛品の品種や数量などからなるオーダー情報、前処理製造ラインの前処理ライン生産計画情報、後処理製造ラインの後処理ライン生産計画情報、前処理製造ラインで実施された仕掛品の仕掛品生産情報、後処理製造ラインで実施した生産実績情報が送られる。
【００２２】
また、仕掛品保管管理サーバ５から管理用データベース４に、仕掛品保管情報が送られる。
【００２３】
次に、図２の仕掛品保管システムの処理動作を説明する。図３は、仕掛品保管倉庫における、仕掛品配置図を作成する配置シミュレーションシステム７のフローチャートである。前処理製造ラインの生産計画情報を入力するステップ１０１で、前処理生産ラインで製造される仕掛品に関する情報が入力される。前処理生産ラインで製造される仕掛品に関する情報には、少なくとも、仕掛品の品種と数量、生産される日時が含まれる。後処理生産ラインの生産計画情報を入力するステップ１０２により、後処理生産ラインで必要となる仕掛品に関する情報が入力される。後処理生産ラインで必要となる仕掛品に関する情報には、少なくとも、仕掛品の品種と数量、必要となる日時が含まれる。
【００２４】
ステップ１０１とステップ１０２はどちらが先に実行されてもかまわない。また、入力は、管理用データベースから自動的に入力されることが望ましいが、図示しないキーボードなどから数値入力してもよい。
【００２５】
ステップ１０３では、前処理製造ラインの生産計画情報と後処理生産計画情報とから、仕掛品の入庫予定や出庫予定の一覧表を作成するものであり、少なくとも仕掛品保管倉庫に入庫する仕掛品の種類、個数、入庫日時、仕掛品保管倉庫から出庫する仕掛品の種類、個数、出庫日時が表形式にまとめられたものを作成する。
【００２６】
ステップ１０４は、仕掛品の保管に関する、仕掛品の種類、数量、配置等の情報を入力するものである。入力は管理用データベースから自動的にデータを読みとることが好ましいが、キーボードなどの入力装置から入力してもよい。配置とは、倉庫内の区分けの番地、あるいはコンテナ等を用いている自動倉庫ならば、コンテナの識別名を保管している場所データとし、場所データと保管している仕掛品の品種・数量とをひとまとめにして取り扱われるデータである。
【００２７】
ステップ１０５で、仕掛品の保管情報と仕掛品入出予定表から入出に合わせた仕掛品配置図データを作成する。すなわち、仕掛品の入庫や出庫に合わせて仕掛品の配置図データを作成する。配置図データは、例えば、仕掛品の入庫や出庫が容易に行えるとか、入庫から出庫までの移動距離が短くて済むようになるとか、（移動距離）×（数量）が最小になるようにするとか、保管に要求される条件に最適化して作成することが好ましい。
【００２８】
図４は、仕掛品配置指図書作成システム８の処理動作を示フローチャートであり、配置シミュレーションシステム７で作成された仕掛品配置図データに基づいて、仕掛品の保管を実施する。
【００２９】
ステップ２０１は、配置シミュレーションで作成された仕掛品配置図データを入力するものである。
【００３０】
入力された仕掛品配置図データに基づいて、仕掛品配置指図書を作成し（ステップ２０２）、仕掛品保管倉庫の仕掛品の配置実施を行う（ステップ２０５）。
【００３１】
ステップ２０３は、前処理製造ラインに対して仕掛品入庫指図書を作成するものであり、ステップ２０４は後処理製造ラインに対して仕掛品出庫指図書を作成するものである。
【００３２】
ステップ２０３で作成された仕掛品入庫指図書およびステップ２０４で作成された仕掛品出庫指図書は共に生産管理システム６に送信され、さらにステップ２０５の配置実施の完了が生産管理システムに連絡された（ステップ２０６）後、仕掛品の入庫あるいは／および出庫が実施される（ステップ２０７）。
【００３３】
ステップ２０８で、仕掛品の入庫あるいは／および出庫が実施された後に仕掛品配置図データを作成するものであり、作成された仕掛品配置図データは仕掛品保管情報として管理用データベース４に保存される。
【図面の簡単な説明】
【００３４】
【図１】本発明の仕掛品保管システムが実施される仕掛品保管倉庫と、前処理製造ライン、後処理製造ラインとの関係を示す概念図。
【図２】本発明の仕掛品保管システムの実施の形態を示す概略構成図。
【図３】仕掛品配置図作成システムのフローチャート。
【図４】仕掛品配置指図書作成システムのフローチャート。
【符号の説明】
【００３５】
１    前処理製造ライン
２    仕掛品保管倉庫
３    後処理製造ライン
４    管理用データベース
５    仕掛品保管管理サーバ
６    生産管理システム
７    配置シミュレーションシステム
８    仕掛品配置指図書作成システム
【図１】
2007172353.tif 000003
【図２】
2007172353.tif 000004
【図３】
2007172353.tif 000005
【図４】
2007172353.tif 000006